(57)【要約】      （修正有）【課題】光コネクタ本体の取り外しを容易にするコネクタホルダを提供する。【解決手段】基体部２２と、基体部２２から突出した一対の側壁部２３１と、基体部２２及び一対の側壁部２３１によって形成され、光ファイバ３の端部を保持する光コネクタ本体１０を収容するコネクタ収容部２４と、を備えたコネクタホルダ２０であり、一対の側壁部２３１の内側の面には、凹部２３１Ｂが互いに対向して形成されており、光コネクタ本体１０がコネクタ収容部２４に収容されているとき、光コネクタ本体１０の側面と凹部２３１Ｂとの間に隙間が形成される。【選択図】図２
2016109819.tif 000002
【特許請求の範囲】
【請求項１】
基体部と、
前記基体部から突出した一対の側壁部と、
前記基体部及び前記一対の側壁部によって形成され、光ファイバの端部を保持する光コネクタ本体を収容するコネクタ収容部と、
を備え、
前記一対の側壁部の内側の面には、凹部が互いに対向して形成されており、
前記光コネクタ本体が前記コネクタ収容部に収容されているとき、前記光コネクタ本体の側面と前記凹部との間に隙間が形成される
ことを特徴とするコネクタホルダ。
【請求項２】
請求項１に記載のコネクタホルダであって、
前記凹部にはテーパ面が形成されている
ことを特徴とするコネクタホルダ。
【請求項３】
請求項１又は請求項２に記載のコネクタホルダであって、
前記コネクタ収容部に収容された前記光コネクタ本体を、前記基体部との間に挟むための蓋部を有し、
前記蓋部は、前記光コネクタ本体を前記基体部に向かって押し付ける押圧部を有する
ことを特徴とするコネクタホルダ。
【請求項４】
請求項３に記載のコネクタホルダであって、
前記蓋部は、前記一対の側壁部に設けられた本体側係合部と係合する係合部を有する
ことを特徴とするコネクタホルダ。
【発明の詳細な説明】
【技術分野】
【０００１】
本発明は、コネクタホルダに関する。
【背景技術】
【０００２】
光ファイバの端部を保持した光コネクタ本体を回路基板に着脱可能に固定するコネクタホルダ（レセプタクルともいう）が知られている。例えば、特許文献１には、回路基板に光電変換素子を搭載したモジュールが設けられており、コネクタホルダの位置決めピン（又は位置決め穴）に光コネクタ本体の位置決め穴（又は位置決めピン）を嵌合させてコネクタホルダに光コネクタ本体を固定することによって、光コネクタ本体側の光ファイバと光電変換素子とが光接続されることが記載されている。
【先行技術文献】
【特許文献】
【０００３】
【特許文献１】特開２０００−２９２６５８号公報
【発明の概要】
【発明が解決しようとする課題】
【０００４】
コネクタホルダと光コネクタ本体との位置関係がずれると、光信号の損失が増大するため、コネクタホルダに対して光コネクタ本体を正確に固定する必要がある。例えば、コネクタホルダの光コネクタ本体の収容部の形状を、光コネクタ本体の外形と一致するようにすれば、コネクタホルダと光コネクタ本体との位置関係のずれを抑制できる。また、収容部の側壁が光コネクタ本体をコネクタホルダに収容するときのガイドになり、光コネクタ本体をコネクタホルダに収容しやすくなる。
【０００５】
しかしながら、この場合、光コネクタ本体をコネクタホルダから取り外す場合に、コネクタホルダと光コネクタ本体との間に工具等を挿入しにくくなり、光コネクタ本体の取り外しが困難になる。
【０００６】
本発明は、光コネクタ本体の取り外しを容易にすることを目的とする。
【課題を解決するための手段】
【０００７】
上記目的を達成するための主たる発明は、基体部と、前記基体部から突出した一対の側壁部と、前記基体部及び前記一対の側壁部によって形成され、光ファイバの端部を保持する光コネクタ本体を収容するコネクタ収容部と、を備え、前記一対の側壁部の内側の面には、凹部が互いに対向して形成されており、前記光コネクタ本体が前記コネクタ収容部に収容されているとき、前記光コネクタ本体の側面と前記凹部との間に隙間が形成されることを特徴とするコネクタホルダある。
【０００８】
本発明の他の特徴については、後述する明細書及び図面の記載により明らかにする。
【発明の効果】
【０００９】
本発明によれば、光コネクタ本体の取り外しを容易にすることができる。
【図面の簡単な説明】
【００１０】
【図１】図１Ａ及び図１Ｂは、光コネクタ装置１の全体斜視図である。図１Ａは斜め上から見た斜視図であり、図１Ｂは斜め下から見た斜視図である。
【図２】図２Ａは、図１Ａの状態に工具４０を挿入した図であり、図２Ｂは、光コネクタ装置１の分解斜視図である。
【図３】光コネクタ装置１の全体断面図である。
【図４】図４Ａ〜図４Ｃは、コネクタホルダ２０を上から見た図である。図４Ａは、コネクタホルダ２０のみの図であり、図４Ｂは、コネクタホルダ２０のコネクタ収容部２４に光路変換コネクタ１０を収容した状態の図であり、図４Ｃは、コネクタホルダ２０の蓋部２６を閉じた状態の図である。
【図５】図５Ａ〜図５Ｃは第２実施形態のコネクタホルダ２０の説明図である。図５Ａは、コネクタ収容部２４が空のときの断面図であり、図５Ｂは、コネクタ収容部２４に光路変換コネクタ１０が収容されたときの断面図であり、図５Ｃは、工具４０を挿入したときの断面図である
【発明を実施するための形態】
【００１１】
後述する明細書及び図面の記載から、少なくとも以下の事項が明らかとなる。
【００１２】
基体部と、前記基体部から突出した一対の側壁部と、前記基体部及び前記一対の側壁部によって形成され、光ファイバの端部を保持する光コネクタ本体を収容するコネクタ収容部と、を備え、前記一対の側壁部の内側の面には、凹部が互いに対向して形成されており、前記光コネクタ本体が前記コネクタ収容部に収容されているとき、前記光コネクタ本体の側面と前記凹部との間に隙間が形成されることを特徴とするコネクタホルダが明らかとなる。
このようなコネクタホルダによれば、前記光コネクタ本体の側面と前記凹部との間の隙間に工具等を挿入しやすくなるので、光コネクタ本体の取り外しを容易にすることができる。
【００１３】
前記凹部にはテーパ面が形成されていることが望ましい。これにより、工具の先端をテーパ面に沿って光コネクタ本体の下部の位置まで案内することができ、光コネクタ本体を容易に取り外すことができる。
【００１４】
前記コネクタ収容部に収容された前記光コネクタ本体を、前記基体部との間に挟むための蓋部を有し、前記蓋部は、前記光コネクタ本体を前記基体部に向かって押し付ける押圧部を有することが望ましい。これにより、光コネクタ本体をコネクタホルダに確実に固定することができる。
【００１５】
前記蓋部は、前記一対の側壁部に設けられた本体側係合部と係合する係合部を有することが望ましい。これにより、光コネクタ本体を基体部と蓋部との間に挟んだ状態に維持することができる。
【００１６】
＝＝＝第１実施形態＝＝＝
＜全体構成＞
図１Ａ及び図１Ｂは、光コネクタ装置１の全体斜視図である。図１Ａは斜め上から見た斜視図であり、図１Ｂは斜め下から見た斜視図である。また、図２Ａは、図１Ａの状態に工具４０を挿入した図であり、図２Ｂは、光コネクタ装置１の分解斜視図である。また、図３は、光コネクタ装置１の全体断面図である。なお、図１Ｂ、図２Ｂ、図３では、回路基板３０を省略して示している。
【００１７】
以下の説明では、図に示すように各方向を定義する。すなわち、光路変換コネクタ１０の光信号面１３（図３参照）に垂直な方向（光の入出射方向）を「上下方向」とし、光路変換コネクタ１０の光信号面１３から見て反射面１４のある側を「上」とし、逆側（回路基板３０側）を「下」とする。また、光路変換コネクタ１０の２本の位置決めピン１６の並ぶ方向を「前後方向」とし、光路変換コネクタ１０から光ファイバテープ３の延び出る側を「後」とし、逆側を「前」とする。また、上下方向及び前後方向に垂直な方向を「左右方向」とする。なお、左右方向のことを「幅方向」と表現することもある。
【００１８】
本実施形態の光コネクタ装置１は、光路変換コネクタ１０（光コネクタ本体に相当）とコネクタホルダ２０とを備えている。なお、コネクタホルダ２０は、光電変換モジュール（不図示）が実装された回路基板３０に固定されている。光電変換モジュールは、電気信号と光信号とを相互に変換する光電変換素子（不図示）を有し、電気信号と光信号とを相互に変換するモジュールである。光電変換素子としては、電気信号を光信号に変換する発光素子（例えば、面発光レーザ（ＶＣＳＥＬ：Vertical Cavity Surface Emitting Laser）や、光信号を電気信号に変換する受光素子（例えば、フォトダイオード）などがある。また、光電変換モジュールは、光電変換素子を駆動する駆動回路や、レンズアレイなどの光学素子を有していても良い。
【００１９】
そして、光路変換コネクタ１０とコネクタホルダ２０との位置合わせを行うことにより、光コネクタ装置１は、回路基板３０の光電変換素子と光ファイバテープ３（光ファイバ３Ａ）とをパッシブに光接続する。
【００２０】
＜光路変換コネクタ１０＞
光路変換コネクタ１０は、光信号を伝送する光ファイバテープ３（光ファイバ３Ａ）の端部を保持する部材である。光路変換コネクタ１０は、光ファイバ挿入口１１と、複数の光ファイバ穴１２と、光信号面１３と、反射面１４と、位置決めピン１６とを有する。光路変換コネクタ１０は、光信号を透過可能な透明樹脂により形成されている。光ファイバ３Ａの端面で入出射する光信号は、反射面１４で屈折するとともに、光信号面１３で入出射することになる。つまり、光路変換コネクタ１０の内部において、光信号の光路が反射面１４で変換されることになる。
【００２１】
光ファイバ挿入口１１は、光路変換コネクタ１０に光ファイバ３Ａ（光ファイバテープ３）を挿入する挿入口である。光路変換コネクタ１０の後端面には光ファイバ挿入口１１が開口している。
【００２２】
光ファイバ穴１２は、光ファイバ３Ａの端部を挿入するための穴である。光ファイバ穴１２には、光ファイバ心線から被覆を除去した裸ファイバが挿入されることになる。光ファイバ穴１２は、第１接着剤充填部１７Ａと第２接着剤充填部１７Ｂとの間を貫通している（図３参照）。光ファイバ３Ａの端面が第１接着剤充填部１７Ａの前壁に突き当たるまで光ファイバ３Ａが光ファイバ穴１２に挿入されることによって、光ファイバ３Ａが光路変換コネクタ１０に対して位置合わせされる。複数の光ファイバ穴１２は、左右方向（幅方向）に並んで形成されている。
【００２３】
なお、第１接着剤充填部１７Ａ及び第２接着剤充填部１７Ｂは、接着剤を充填するための空洞部である。第１接着剤充填部１７Ａは、光ファイバ穴１２から突出した光ファイバ３Ａの端部に接着剤を塗布する空洞部である。第２接着剤充填部１７Ｂは、光ファイバ穴１２よりも後側で光ファイバテープ３に接着剤を塗布する空洞部である。
【００２４】
光信号面１３は、光信号が入射又は出射する面であり、光路変換コネクタ１０の下面に形成されている。光信号面１３では、複数の光信号が入射又は出射することになる。光路変換コネクタ１０とコネクタホルダ２０とが位置合わせされると、光路変換コネクタ１０の光信号面１３は、コネクタホルダ２０の開口部２２Ｃと対向する。光信号面１３は、左右方向（幅方向）に平行に形成されている。また、光信号面１３は、前後方向において２つの位置決めピン１６の間に配置されている。光信号面１３には、複数のレンズが左右方向に並んで配置されている。光信号面１３の各レンズは、光信号の光軸上に配置されている。なお、光信号面１３にレンズを配置せずに、光信号面１３を平面にしても良い。
【００２５】
反射面１４は、光信号を反射する面である。光路変換コネクタ１０の上面に凹部１８が形成されており、凹部１８の後側の傾斜面が反射面１４となる。反射面１４は、光路変換コネクタ１０を構成する透明樹脂と外気との境界面であり、両者の屈折率の違いにより両者の境界面で光が反射する。反射面１４は、左右方向（幅方向）に平行に形成されている。反射面１４は、光信号面１３の上側に位置しており、前後方向において２つの位置決めピン１６の間に配置されている。反射面１４には、複数のレンズ（集光曲面）が左右方向に並んで配置されている。なお、反射面１４にレンズを配置せずに、反射面１４を平面にしても良い。
【００２６】
光路変換コネクタ１０を透過する光信号は、反射面１４で反射することになる。光ファイバ３Ａの端面から光信号が出射した場合には、光信号は、反射面１４で反射して、光信号面１３から外側に向かって出射することになる。また、外部から光信号面１３に光信号が入射した場合には、光信号は、反射面１４で反射して、光ファイバ３Ａの端面に入射することになる。
【００２７】
位置決めピン１６は、コネクタホルダ２０の位置決め穴２２１に挿入するためのピンである。光路変換コネクタ１０の位置決めピン１６をコネクタホルダ２０の位置決め穴２２１に挿入することによって、光路変換コネクタ１０とコネクタホルダ２０とが位置合わせされることになる。位置決めピン１６は、光路変換コネクタ１０の下面から突出している。２本の位置決めピン１６は、上下方向（光信号面１３に垂直な方向）に平行であり、前後方向に並んで形成されている。
【００２８】
＜コネクタホルダ２０＞
コネクタホルダ２０は、光路変換コネクタ１０を固定する部材である。コネクタホルダ２０のことをレセプタクルと呼ぶこともある。コネクタホルダ２０は、接着剤などによって回路基板３０に固定されている。なお、本実施形態では、回路基板３０の下面側に光変換モジュールが実装されている。また、コネクタホルダ２０の開口部２２Ｃ（後述する）と対向する回路基板３０の部位にも開口部（不図示）が形成されている。これにより、コネクタホルダ２０の開口部２２Ｃと回路基板３０の開口部を通して、光路変換コネクタ１０の光ファイバテープ３（光ファイバ３Ａ）と光変換モジュールの光電変換素子とを光接続することが可能になっている。
【００２９】
コネクタホルダ２０は、ホルダ本体部２１と、蓋部２６とを有する。ホルダ本体部２１は樹脂成形部品であり、蓋部２６は金属製部品である。但し、ホルダ本体部２１と蓋部２６を薄肉ヒンジ部で連結した樹脂一体成形品とすることも可能である。
【００３０】
（ホルダ本体部２１）
ホルダ本体部２１は、光路変換コネクタ１０を収容する部位である。ホルダ本体部２１の下面は回路基板３０に固定するための固定面（接着面）となり、ホルダ本体部２１の上面には、光路変換コネクタ１０を収容するコネクタ収容部２４が形成されている（図２参照）。ホルダ本体部２１は、基体部２２と、壁部２３とを有する。この基体部２２と壁部２３とによって、コネクタ収容部２４が形成されている。
【００３１】
基体部２２は、ホルダ本体部２１を構成する部位であり、上下方向に垂直な板状の部位である。基体部２２の下面は、回路基板３０に固定するための固定面（接着面）となり、基体部２２の上面は光路変換コネクタ１０の下面と対向する。基体部２２は、蓋部２６との間に光路変換コネクタ１０を上下から挟む部位である。基体部２２には、位置決め穴２２Ｂ、開口部２２Ｃが形成されている。
【００３２】
位置決め穴２２Ｂは、光路変換コネクタ１０の位置決めピン１６と嵌合する位置決め穴である。コネクタホルダ２０の位置決め穴２２Ｂに光路変換コネクタ１０の位置決めピン１６が挿入されることによって、光路変換コネクタ１０とコネクタホルダ２０との位置合わせがパッシブに行われる。位置決め穴２２Ｂは上下方向に平行な貫通穴であり、２つの位置決め穴２２Ｂが前後方向に並んで形成されている。より具体的には、２つの位置決め穴２２Ｂは、開口部２２Ｃを挟むようにして、前後方向に並んで形成されている。
【００３３】
開口部２２Ｃは、回路基板３０に実装された光電変換モジュールと光路変換コネクタ１０との間で入出射する光信号を通過させるためのものであり、２つの位置決め穴２２Ｂの間において基体部２２を貫通するように形成されている。つまり、開口部２２Ｃを挟むようにして、光路変換コネクタ１０の下面にある光信号面１３と、回路基板３０の光電変換素子とが対向して配置されることになる。
【００３４】
壁部２３は、基体部２２から上側に突出した壁状の部位である。壁部２３は、一対の側壁部２３１と、前壁部２３２とを有する。
【００３５】
側壁部２３１は、基体部２２の左右縁から上側に突出した壁状の部位である。一対の側壁部２３１は、左右方向に対向して形成されている。
【００３６】
また、一対の側壁部２３１には、それぞれ、係止部２３１Ａ、幅広凹部２３１Ｂが形成されている。
【００３７】
係止部２３１Ａ（本体側係合部に相当）は、一対の側壁部２３１における後側に形成されている。係止部２３１Ａは、蓋部２６の係合部２６３を引っ掛ける部位である。係止部２３１Ａに蓋部２６の係合部２６３を係合させることで、ホルダ本体部２１と蓋部２６とが係合状態となる。
【００３８】
幅広凹部２３１Ｂ（コネクタホルダの凹部に相当）は、一対の側壁部２３１の内壁面に形成されている。また、対向する幅広凹部２３１Ｂの間隔は、光路変換コネクタ１０の最大幅よりも大きい。このため、コネクタ収容部２４に光路変換コネクタ１０を収容したときに、光路変換コネクタ１０の側面とコネクタホルダ２０の幅広凹部２３１Ｂとの間には隙間が形成される（図４Ｂ参照）。
【００３９】
また、幅広凹部２３１Ｂの前後方向の長さは、光路変換コネクタ１０の前後方向の長さよりも短く、幅広凹部２３１Ｂを除く側壁部２３１の内壁面の間隔（左右方向の内寸）は、光路変換コネクタ１０の幅に相当する。このため、一対の側壁部２３１の間に光路変換コネクタ１０を挟み込むように収容できる（図４Ｂ参照）。そして、一対の側壁部２３１の間に光路変換コネクタ１０が収容されることによって、光路変換コネクタ１０がコネクタホルダ２０に対して幅方向に位置合わせされることになる。よって、一対の側壁部２３１は、光路変換コネクタ１０を幅方向に位置合わせする機能を有する。
【００４０】
前壁部２３２は、基体部２２の前縁から上側に突出した壁状の部位である。前壁部２３２に光路変換コネクタ１０の前端面を接触させることで、光路変換コネクタ１０の位置決めピン１６が、コネクタホルダ２０の位置決め穴２２Ｂの位置と合いやすくなる。これにより、光路変換コネクタ１０をコネクタホルダ２０のコネクタ収容部２４に収容させやすくなる。
【００４１】
また、前壁部前壁部２３２の左右方向の両縁には、回転軸２５が形成されている。回転軸２５は、蓋部２６を回転可能に支持する軸であり、蓋部２６の回転中心となる部位である。
【００４２】
（蓋部２６）
蓋部２６は、ホルダ本体部２１に収容された光路変換コネクタ１０を固定する部材である。ホルダ本体部２１に光路変換コネクタ１０を収容した状態で蓋部２６を閉じることによって、光路変換コネクタ１０がコネクタホルダ２０に固定されることになる。また、蓋部２６を開けることによって、コネクタホルダ２０から光路変換コネクタ１０を外すことも可能である。
【００４３】
蓋部２６は、蓋本体部２６１と、軸受部２６２と、係合部２６３と、押圧部２６５と、操作部２６６とを有する。
【００４４】
軸受部２６２は、ホルダ本体部２１の回転軸２５に対して蓋本体部２６１を回転可能に支持する部位である。
【００４５】
係合部２６３は、蓋部２６を閉じた状態に保持するためにホルダ本体部２１の側壁部２３１の係止部２３１Ａに引っ掛ける部位である。係合部２６３は、蓋本体部２６１の後側において操作部２６６を挟む位置に一対設けられている。なお、係合部２６３を、蓋本体部２６１の両側部に配置することにより、コネクタホルダ２０の前後方向の長さを短縮することが可能である。
【００４６】
押圧部２６５は、光路変換コネクタ１０をホルダ本体部２１に向かって押し付ける部位である。押圧部２６５は、左右方向から見たときに蓋本体部２６１からホルダ本体部２１側に突出して形成されている。ホルダ本体部２１に光路変換コネクタ１０を収容した状態で蓋部２６を閉じると、押圧部２６５は、弾性変形した状態で光路変換コネクタ１０と接触し、光路変換コネクタ１０をホルダ本体部２１側（下側）に向かって押し付けることになる。つまり、押圧部２６５は、光路変換コネクタ１０を回路基板３０側に向かって押し付けることになる。これにより、光路変換コネクタ１０の上下方向（光信号の光軸方向）の位置が固定される。
【００４７】
図３に示すように、蓋部２６を閉じた時の押圧部２６５の下端は、光路変換コネクタ１０の凹部１８上にあり、さらに、ホルダ本体部２１の開口部２２Ｃの前後方向の位置とほぼ同じ位置になる。また、蓋部２６を閉じた時の押圧部２６５は、２つの位置決め穴２２Ｂの間に位置する。このため、押圧部２６５は、光路変換コネクタ１０に形成された２つの位置決めピン１６の間の部位をホルダ本体部２１側（下側）に向かって押し付けることになる。これにより、光路変換コネクタ１０がホルダ本体部２１から外れにくくなる。
【００４８】
また、蓋部２６を閉じたとき、押圧部２６５は、光路変換コネクタ１０の反射面１４を覆うように構成されている。これにより、ゴミや埃などによって反射面１４が汚染されることを抑制でき、反射面１４の光学特性を維持できる。なお、位置決めピン１６と位置決め穴２２Ｂとによってコネクタホルダ２０と光路変換コネクタ１０との位置合わせが行われているため、押圧部２６５は、光路変換コネクタ１０の反射面１４を確実に覆うことができる。
【００４９】
また、蓋部２６を閉じたとき、押圧部２６５は、光路変換コネクタ１０の凹部１８の左右方向外側の両縁を押圧する。
【００５０】
操作部２６６は、蓋部２６の開閉操作を行う部位である。操作部２６６は、蓋本体部２６１の後側（軸受部２６２の逆側）に配置されている。
【００５１】
＜光路変換コネクタ１０の取り付け、及び、取り外しについて＞
図４Ａ〜図４Ｃは、コネクタホルダ２０を上から見た図である。図４Ａは、コネクタホルダ２０のみの図であり、図４Ｂは、コネクタホルダ２０のコネクタ収容部２４に光路変換コネクタ１０を収容した状態の図であり、図４Ｃは、コネクタホルダ２０の蓋部２６を閉じた状態の図である。
【００５２】
コネクタホルダ２０に光路変換コネクタ１０を取り付ける際には、まず、操作部２６６を持ち上げ、コネクタホルダ２０の蓋部２６を開く（図４Ａ）。なお、コネクタホルダ２０は、光電変換モジュール（不図示）が実装された回路基板３０に固定されている。
【００５３】
そして、コネクタホルダ２０のホルダ本体部２１のコネクタ収容部２４に光路変換コネクタ１０を収容する（図４Ｂ）。このとき、コネクタホルダ２０の位置決め穴２２Ｂに光路変換コネクタ１０の位置決めピン１６を挿入（嵌合）することにより前後方向の位置決めが行われる。すなわち、光路変換コネクタ１０の光信号面１３がコネクタホルダ２０の開口部２２２（及び、回路基板３０の光電変換素子）と対向するように位置決めされる。
【００５４】
また、一対の側壁部２３１の内壁面の間に光路変換コネクタ１０が収容されることにより、左右方向（幅方向）の位置決めが行われる。
【００５５】
また、コネクタホルダ２０の一対の側壁部２３Ａの内側に幅広凹部２３１Ｂを設けているので、光路変換コネクタ１０の側面と幅広凹部２３１Ｂとの間には隙間が形成されている。このため、工具４０（例えばピンセット）を用いて、光路変換コネクタ１０をホルダ本体部２１のコネクタ収容部２４に収容させる場合、工具４０が邪魔にならない（図２Ａ参照）。よって、この場合も、光路変換コネクタ１０をコネクタ収容部２４に容易に配置（収容）させることができる。
【００５６】
その後、コネクタホルダ２０の蓋部２６を閉じる（図４Ｃ）。このとき、蓋部２６の係合部２６３をホルダ本体部２１の係止部２３１Ａに係合させる。これにより、蓋部２６の押圧部２６５が、弾性変形しつつ光路変換コネクタ１０の凹部１８の左右方向外側の両縁を押圧する。光路変換コネクタ１０は、押圧部２６５によってコネクタホルダ２０の基体部２２に向かって押されるので、上下方向においても位置決めされることになる。よって、光路変換コネクタ１０をコネクタホルダ２０に確実に固定することができる。また、蓋部２６の係合部２６３をホルダ本体部２１の係止部２３１Ａに係合させることにより、光路変換コネクタ１０を基体部２２と蓋部２６との間に挟んだ状態に維持することができる。
【００５７】
光路変換コネクタ１０をコネクタホルダ２０から取り外す場合は、上記と逆の手順で行う。
【００５８】
すなわち、図４Ｃの状態から、蓋部２６の操作部２６６を上に持ち上げ、蓋部２６の係合部２６３とホルダ本体部２１の係止部２３１Ａとの係合状態を解除する。こうして、コネクタホルダ２０の蓋部２６を開く。
【００５９】
次に、工具４０（例えばピンセット）などを用いて、光路変換コネクタ１０をホルダ本体部２１のコネクタ収容部２４から取り外す。このとき、本実施形態では、前述したように光路変換コネクタ１０の側面と幅広凹部２３１Ｂとの間に隙間が形成されているので、この隙間に工具を挿入しやすくなっている。これにより、光路変換コネクタ１０を取り外しやすい。
【００６０】
以上、説明したように、本実施形態のコネクタホルダ２０は、基体部２２と、基体部２２から突出した一対の側壁部２３１と、基体部２２及び一対の側壁部２３１によって形成され、光ファイバテープ３（光ファイバ３Ａ）の端部を保持する光路変換コネクタ１０を収容するコネクタ収容部２４とを備えている。そして、一対の側壁部２３１の内側の面には、幅広凹部２３１Ｂが互いに対向して形成されており、光路変換コネクタ１０がコネクタ収容部２４に収容されているとき、光路変換コネクタ１０の側面と幅広凹部２３１Ｂとの間に隙間が形成されている。
【００６１】
これにより、第１実施形態のコネクタホルダ２０によれば、光路変換コネクタ１０の側面と幅広凹部２３１Ｂとの間に隙間に工具４０等を挿入しやすくなるので、光路変換コネクタ１０の取り外しを容易に行うことができる。
【００６２】
＝＝＝第２実施形態＝＝＝
第２実施形態では一対の側壁部２３１の幅広凹部の形状が第１実施形態と異なる。なお、第２実施形態において第１実施形態と同一構成の部分には同一符号を付し説明を省略する。
【００６３】
図５Ａ〜図５Ｃは第２実施形態のコネクタホルダ２０の説明図である。図５Ａは、コネクタ収容部２４が空のときの断面図であり、図５Ｂは、コネクタ収容部２４に光路変換コネクタ１０が収容されたときの断面図であり、図５Ｃは、工具４０を挿入したときの断面図である。なお、図５Ａ〜図５Ｃは前後方向に垂直な断面図である。
【００６４】
第２実施形態では、一対の側壁部２３１の内側に幅広凹部２３１Ｂ´が設けられている。第２実施形態の幅広凹部２３１Ｂ´は、下側に向かうにつれて側壁部２３１の左右方向の長さ（厚さ）が大きくなるようなテーパ面となっている。換言すると、下側に向かうにつれて、コネクタ収容部２４の左右方向の間隔が小さくなっている。これにより、光路変換コネクタ１０をコネクタ収容部２４に収容する際に、テーパ面に沿って光路変換コネクタ１０を案内することができ、光路変換コネクタ１０の位置ずれを抑制することができる。また、光路変換コネクタ１０の側面と幅広凹部２３１Ｂ´との間にはテーパ形状の隙間が形成される。よって、図５Ｃのように工具４０（例えばピンセット）を用いて光路変換コネクタを取り出す場合に、工具４０の先端を隙間に挿入しやすく、工具４０の先端をテーパ面に沿って光路変換コネクタ１０の下部の位置まで案内することができる。これにより、第２実施形態においても、光路変換コネクタ１０を容易に取り外すことができる。
【００６５】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００６６】
＜コネクタホルダ２０の配置について＞
前述の実施形態では、回路基板３０の下面に光電変換モジュールを実装し、回路基板３０を挟んで光電変換モジュールと対向するようにコネクタホルダ２０を配置していが、これは限られない。例えば、回路基板３０の上面に光電変換モジュールを設け、その上にコネクタホルダ２０を固定してもよい。
【００６７】
＜ホルダ本体部２１と蓋部２６との係合について＞
係止部２３１Ａと係合部２６３との組み合わせ（係合箇所）の数は２つには限られず、少なくとも１つあればよい。
【符号の説明】
【００６８】
１  光コネクタ装置、
３  光ファイバテープ、３Ａ  光ファイバ、
１０  光路変換コネクタ、１１  光ファイバ挿入口、
１２  光ファイバ穴、１３  光信号面、
１４  反射面、１６  位置決めピン、
１７Ａ  第１接着剤充填部、１７Ｂ  第２接着剤充填部、１８  凹部、
２０  コネクタホルダ（レセプタクル）、２１  ホルダ本体部、
２２  基体部、２２Ｂ  位置決め穴、２２Ｃ  開口部
２３  壁部、２３１  側壁部、
２３１Ａ  係止部、２３１Ｂ  幅広凹部、
２３２  前壁部、２５  回転軸
２６  蓋部、２６１  蓋本体部、２６２  軸受部、
２６３  係合部、２６５  押圧部、２６６  操作部、
３０  回路基板、
４０  工具
【図１】
2016109819.tif 000003
【図２】
2016109819.tif 000004
【図３】
2016109819.tif 000005
【図４】
2016109819.tif 000006
【図５】
2016109819.tif 000007